(57)【特許請求の範囲】
【請求項１】
イオントラップ（１３０）を用いる質量分析方法であって、
ａ）試料から、各イオンが、第１の質量電荷比の範囲Ｍ1／Ｚ1、Ｍ2／Ｚ2、Ｍ3／Ｚ3．．．ＭN／ＺNから選択された１つの質量電荷比を有する、複数の前駆イオンを生成し、
ｂ）前記複数の前駆イオンのうち少なくともいくつかの前駆イオンを解離させることによって、各フラグメントイオンが、第２の質量電荷比の範囲ｍ1／ｚ1、ｍ2／ｚ2、ｍ3／ｚ3．．．ｍn／ｚnから選択された１つの質量電荷比を有する、複数のフラグメントイオンを生成し、
ｃ）前記フラグメントイオンを、イオントラップ（１３０）の少なくとも１つの方向でイオンを閉じ込めることができる電磁場（１４０，１５０，１６０，１８０）を生成する手段を有するイオントラップ（１３０）内へ導き、ここで、前記イオンは、前記前駆イオンの前記質量電荷比に依存する時間に複数のイオン群として前記トラップに入り、
ｄ）少なくとも１つの前記イオン群において、イオンの前記質量電荷比を、前記トラップ（１３０）内の前記電磁場における、その、又はそれらの群中の前記イオンの運動パラメータに基づいて、決定し、
ｅ）前記トラップ（１３０）内の前記電磁場を変形させることによって、等しい前記質量電荷比を有するが、複数の異なる前駆イオンであって異なる質量電荷比を有する前駆イオンから生じた、前記トラップ（１３０）内のフラグメントイオンを、区別して検出することを可能にする、
ことを特徴とする方法。
【請求項２】
請求項１に記載の方法において、
前記複数のフラグメントイオンを生成するステップにおいて、第１の質量電荷比Ｍ1／Ｚ1を有する第１の前駆イオン群から、質量電荷比ｍ1／ｚ1を有する、第１のフラグメントイオン群を生成し、第２の質量電荷比Ｍ2／Ｚ2を有する第２の前駆イオン群から、同様に質量電荷比ｍ1／ｚ1を有する第２のフラグメントイオン群を生成し、
前記複数のフラグメントイオンを前記イオントラップ（１３０）内へ導くステップにおいて、前記等しい質量電荷比ｍ1／ｚ1を有する、前記第１のフラグメントイオン群及び前記第２のフラグメントイオン群を、前記イオントラップ（１３０）内へ導き、Ｍ1／Ｚ1≠Ｍ2／Ｚ2であるため、前記イオン群は、異なる時間に前記イオントラップに到達すること、
を特徴とする方法。
【請求項３】
請求項２に記載の方法において、さらに、
前記フラグメントイオンが前記イオントラップ（１３０）内に導かれる間に、イオンを閉じ込めることができる前記電磁場を傾斜させることで、前記第１のフラグメントイオン群が受ける前記電磁場が、前記第２のフラグメントイオン群が受ける前記電磁場と異なるようにする、
ことを特徴とする方法。
【請求項４】
請求項２に記載の方法において、前記電磁場を生成するステップにおいて、軸方向のイオントラッピング場であって、ポテンシャルの井戸の軸方向にイオンが振動する軸方向のイオントラッピング場を生成し、前記イオンの前記質量電荷比を決定するために利用される前記運動パラメータは、角周波数ωであり、前記角周波数ωが、前記イオントラップ内のイオンの前記質量電荷比のみに依存し、前記電磁場の変形ステップの前には、前記フラグメントイオンを生じた前記前駆イオンの前記パラメータに関係なく、前記イオントラップ内の、質量電荷比ｍ1／ｚ1を有するフラグメントイオンが等しい前記角周波数ωで振動する、ことを特徴とする方法。
【請求項５】
請求項４に記載の方法において、前記電磁場を変形するステップ（ｅ）において、前記ポテンシャルの井戸内の前記イオンの運動が少なくとも１つの追加のパラメータに依存するように、場の成分を導入し、分離した各フラグメントイオン群が前記少なくとも１つの追加パラメータに依存する結果として、前記等しい質量電荷比ｍ1／ｚ1を有するが、異なる前駆イオンから生じたフラグメントイオンを、区別可能にすることを特徴とする方法。
【請求項６】
請求項５に記載の方法において、前記少なくとも１つの追加パラメータが、前記トラップ（１３０）の少なくとも１つの方向の運動の振幅と、運動の周波数と、前記トラップ（１３０）内の１つの群の位相と、前記トラップ（１３０）内の１つの群のイオンのエネルギーと、からなるリストから選択された１つのパラメータを含むことを特徴とする方法。
【請求項７】
請求項１に記載の方法において、前記イオントラップ（１３０）が静電トラップであり、前記イオントラップ内に電磁場を生成するステップにおいて、超対数場を生成することを特徴とする方法。
【請求項８】
請求項１に記載の方法において、前記電磁場を変形するステップ（ｅ）において、追加の局所的な変形を前記電磁場に発生させ、前記トラップ内において、前記局所的な変形と離れた位置から、前記局所的な変形へ近づくイオンの運動パラメータが、前記局所的な変形へ近づかないイオンの運動パラメータに対して異なるものとされることを特徴とする方法。
【請求項９】
請求項８に記載の方法において、前記トラップが、さらに変形電極（２００）を備え、前記方法においてさらに、前記変形電極（２００）に電圧を印加することによって、前記電磁場に前記変形を生じさせることを特徴とする方法。
【請求項１０】
請求項９に記載の方法において、前記イオントラップ（１３０）内へのイオンの噴射に続いて、予め決められた時間が経過した後で、前記変形電極（２００）に前記電圧を印加することを特徴とする方法。
【請求項１１】
請求項１に記載の方法において、質量スペクトルが２つのステージによって得られ、第１のステージにおいては、前記トラップ（１３０）の電磁場を変形せず、第２のステージにおいては、前記電磁場を変形することによって、前記等しい質量電荷比ｍ1／ｚ1を有するが、異なる質量電荷比Ｍ1／Ｚ1及びＭ2／Ｚ2を有する複数の前駆イオンから生じたフラグメントイオンを、互いに区別することができることを特徴とする方法。
【請求項１２】
請求項１１に記載の方法において、前記第２のステージが、予め決められた期間の後に始まることを特徴とする方法。
【請求項１３】
請求項１に記載の方法において、前記複数の前駆イオンのうち少なくともいくつかの前駆イオンを解離させるステップ（ｂ）が、表面誘起解離と、衝突誘起解離と、光誘起解離と、からなるリストから選択された技術を含むことを特徴とする方法。
【請求項１４】
請求項１３に記載の方法において、前記複数の前駆イオンのうち少なくともいくつかの前駆イオンを解離させるステップ（ｂ）が、表面誘起解離を用い、前記方法において、衝突表面（１９２）に遅延電圧を印加することを特徴とする方法。
【請求項１５】
質量分析計（１０）であって、
分析対象の複数の試料イオンを供給するように構成されたイオン源（１２）と、
前記試料イオンを解離場所（１９２）へ向けて誘導する手段（９０）であって、前記試料イオンが、Ｍ1／Ｚ1、Ｍ2／Ｚ2、Ｍ3／Ｚ3．．．ＭN／ＺNの範囲から選択された質量電荷比に従って、複数の前駆イオン群として、前記解離場所（１９２）に到達する手段と、
トラップの入口を有するイオントラップ（１３０）であって、前記解離場所（１９２）における前記前駆イオンの解離によって生じた複数のフラグメントイオン群を受け取るように構成され、各フラグメントイオン群が、ｍ1／ｚ1、ｍ2／ｚ2、ｍ3／ｚ3．．．ｍn／ｚnの範囲から選択された質量電荷比を有し、前記イオントラップ（１３０）がさらに、前記イオントラップ（１３０）内にトラッピング場を生成するように構成されたトラップ電極（１４０，１６０，１７０）を有し、前記トラップ（１３０）に入る、断片化されなかった前駆イオン及び／又はフラグメントイオンが、前記トラップ（１３０）の少なくとも１つの軸方向で前記トラッピング場に閉じ込められ、前記イオンの前記質量電荷比のみに関係する運動パラメータを有する、イオントラップ（１３０）と、
前記運動パラメータに基づいて、イオン群の前記質量電荷比を決定することを可能にする検出手段（１９０）と、
電場を変形する、少なくとも１つの電極であって、前記トラッピング場の変形を実現するように構成され、前記イオントラップ（１３０）内の、分離したフラグメントイオン群であって、前記検出手段（１９０）が、前記等しい質量電荷比ｍ1／ｚ1を有するが、少なくとも２つの異なる質量電荷比Ｍ1／Ｚ1及びＭ2／Ｚ2を有する複数の前駆イオンから生じたフラグメントイオン群を検出することを可能にする電極（２００）と、
を備えることを特徴とする質量分析計。
【発明の詳細な説明】
【技術分野】
【０００１】
本発明は、質量分析方法、及び装置に関し、特に、フーリエ変換静電型イオントラップを用いた、全質量ＭＳ／ＭＳに関する。
【背景技術】
【０００２】
タンデム質量分析法、又はＭＳ／ＭＳは、分析計のＳＮ比を改善するために利用され、明白に検体イオンの同定を行う能力を提供できる、よく知られた技術である。ＭＳ／ＭＳでは、（一段階のＭＳ技術と比較した場合に）信号の強度は低下する可能性が若干ある反面、ノイズレベルの減少はより大きい。
【０００３】
タンデム質量分析計は、薬剤の化合物、環境の化合物、及び生体分子、などの有機物を含む、広範囲の物質の分析に使用されてきた。タンデム質量分析計は、例えば、ＤＮＡ及びタンパク質の配列決定に、特に有用である。このような用途では、分析時間の改善が常に要求されている。現在、試料の質量スペクトルを得るために、液体クロマトグラフィによる分離法を利用することができる。ＬＣ（液体クロマトグラフィ）技術では、しばしば、全スペクトルの情報を得るために、「ピーク・パーキング（peak‐parking）」の利用が必要になり、当業者の間において、質量スペクトルのすべてのピークについての完全な情報を得るのに必要な収集時間が、研究計画にかなりの時間負荷を加える、という一般的な意見の一致がある。従って、より高い処理量のＭＳ／ＭＳへ移行したいという要求がある。
【０００４】
イオン化した分子の構造の解明は、タンデム質量分析計で行うことができる。タンデム質量分析計では、第１の分析の段階、又は第１の質量分析器（ＭＳ１）において、前駆イオンが選択される。この前駆イオンは、一般的に、衝突室（collision cell）において断片化され、断片化されたイオン（フラグメントイオン：fragment ion）は第２段階の分析器（ＭＳ２）で分析される。この、広く利用されている断片化方法は、衝突誘起解離（collision induced dissociation、ＣＩＤ）として知られている。しかしながら、他の適切な解離方法は、表面誘起解離（surface induced dissociation、ＳＩＤ）、光誘起解離（photo‐induced dissociation、ＰＩＤ）、又は準安定解離（metastable decay）を含む。
【０００５】
現在、様々な配置による、複数の型のタンデム質量分析計の配置が、当技術分野で知られており、この様々な配置は、空間順、時間順、及び、時間順かつ空間順の配置を含む。
【０００６】
公知の、空間順の配置は、磁場型（magnetic sector）ハイブリッドシステムを含む。それらの公知のシステムには、非特許文献１に開示されたシステム、非特許文献２に記載された四重極飛行時間型質量分析計（quadrupole time‐of‐flight（TOF）spectrometer）、又は、特許文献１に記載された、ＴＯＦ‐ＴＯＦなどがある。非特許文献３に記載されるとおり、第１のＴＯＦ分析器は、イオン移動度の、異なる原理に基づいた分離装置によって代替できる。イオン移動度分析計における、比較的長時間での前駆イオンの分離によって、走査の各回においていくつかのＴＯＦスペクトルを収集できる。イオン移動度分析計とＴＯＦ検出器との間に、断片化の手段が設けられる場合は、前駆イオンの分解能が非常に低くなるが、全質量ＭＳ／ＭＳは可能になる。
【０００７】
時間順の質量分析計は、イオントラップを含む。イオントラップは、例えば、非特許文献４に記載された、ポールトラップ（Paul trap）；非特許文献５に記載された、フーリエ変換イオンサイクロトロン共鳴（ＦＴＩＣＲ）分析計；又は、特許文献２に開示されたＬＴ（線形トラップ）分析計がある。
【０００８】
公知の、時間順かつ空間順の分析計は、３次元トラップＴＯＦ（例えば、特許文献３に開示される分析計であって、ＴＯＦが高質量の精度のため及び一度にすべての断片を収集するためだけに利用される分析計）；例えば、非特許文献６に開示される分析計などのフーリエ変換イオンサイクロトロン共鳴（ＦＴ‐ＩＣＲ）（ＭＳ２の長い収集時間に制限される）；又は、ＬＴ‐ＴＯＦ質量分析計（例えば、特許文献４に開示されるように、前駆イオンを１個だけ伝送し、しかし、発明者は１００％の装荷率を達成したと主張する）である。
【０００９】
これらすべての、従来の質量分析計は、ＭＳ／ＭＳスペクトルの逐次分析を実現することだけが可能である。すなわち、１回に１個の前駆体の質量を分析する。言い換えると、これらの従来の質量分析計を用いて、１回の分析で、すべての前駆体の質量に対して全質量スペクトルを得ることは不可能である。不十分なダイナミックレンジと、ＭＳ‐２質量分析計の収集速度と、が、分析計の性能を制限する要因であると考えられている。
【００１０】
このダイナミックレンジ及び収集速度の問題は、非特許文献７及び非特許文献８に記載されているとおり、フーリエ変換イオンサイクロトロン共鳴（Fourier Transform ion cyclotron resonance、ＦＴＩＣＲ）によって、部分的に対処されてきた。多重チャネル配置を利用する、２個の異なる多重化の手法が示される。２個の手法は次のとおりである。
【００１１】
２次元アダマール（Hadamard）／ＦＴＩＣＲ質量分析法
この手法においては、前駆イオンの線形独立な組み合わせの系列が、断片化のために選択され、それによって、フラグメントの質量スペクトルの組合わせを得る。収集された「マスクされた（masked）」スペクトルの符号化／復号化は、アダマール変換（Hadamard transform）アルゴリズムによって実現される。非特許文献７は、Ｎ個の異なる前駆イオンに対して、実験で、特定のＳＮ比を達成することができたことを示した。その実験では、スペクトル収集時間がＮ／４倍に減少した。
【００１２】
２次元フーリエ／ＦＴＩＣＲ質量分析法
この手法においては、すべての前駆イオンを励起させるのに、１つの励起波形を用いる。これにより、前駆イオンの異なる質量に対して、異なる励起状態を実現する。ＳＷＩＦＴ（stored waveform inverse Fourier Transform）法を用いると、励起波形は、前駆イオン周波数の正弦波関数であり、正弦波関数の周波数は、収集の回数を重ねる毎に、増加する。結果として、特定の前駆イオンに対するフラグメントイオンの強度もまた、適用された励起に従って変調する。中間体の集合に２次元逆フーリエ変換を行うと、フラグメントイオンを、その前駆体に明白に対応づける２次元マップができる。
【００１３】
非特許文献５によると、第１の方法は、かなり少ないデータ保存量を必要とし、第２の方法は、前駆イオンのスペクトルについての事前情報は必要ない。しかしながら、実用的な条件においては、どちらの方法も、一般的に利用される分離技術、例えば、ＨＰＬＣ（高速液体クロマトグラフィ）又はＣＥ（キャピラリー電気泳動）、との互換性がない。これは、ＦＴＩＣＲ収集の比較的遅い速度（現在、毎秒数個のスペクトル以上に速くなることはない）と、比較的多くのスペクトルが要求されることと、に起因する。また、ＬＣ分離法が、比較的扱いにくい「ピーク・パーキング」法を用いて人工的に「止められ」ない限り、（最も広く利用される分離法において）検体は、数秒間でかなりの強度変化を示す可能性がある。さらに、ピーク・パーキング法の利用によって、スペクトル収集の時間が大幅に増大する可能性がある。
【００１４】
特許文献５、及び特許文献６には、静電トラップを用いた質量分析方法、及び装置が記載されている。この配置で利用可能な、いくつかのＭＳ／ＭＳ方式について、簡単な説明がなされている。しかしながら、トラップにおける全質量ＭＳ／ＭＳ分析に関する問題については、まったく言及していない。前駆イオンは貯蔵四重極から放出され、ＴＯＦフォーカスによってコヒーレントなパケットに集中し、それによって、等しいｍ／ｚを有するイオンが、ほぼ同時に静電トラップに入る。
【００１５】
静電トラップ内のイオンの飛翔経路が、非特許文献９に記載される。非特許文献９で示された運動方程式から、軸方向周波数は、トラップ内のイオンのエネルギー及び位置（又は、トラップに入る時のイオンの位相）と関係ないことがわかる。従って、イオン運動の軸方向周波数が質量分析に利用される。
【００１６】
【特許文献１】米国特許第５，４６４，９８５号明細書
【特許文献２】米国特許第５，４２０，４２５号明細書
【特許文献３】国際公開第９９／３９３６８号パンフレット
【特許文献４】米国特許第６，０１１，２５９号明細書
【特許文献５】英国特許出願公開第２，３７８，３１２号明細書
【特許文献６】国際公開第０２／０７８０４６号パンフレット
【非特許文献１】マクラファティ（W. F. McLafferty）著、「タンデム質量分析（Tandem Mass Spectrometry）」、（米国）、ワイリー・インターサイエンス（Wiley Inter−Science）、１９８３年
【非特許文献２】モーリス他（Morris et al.）、「ラピッド・コミュニケーションズ・イン・マス・スペクトロメトリ（Rapid Communications in Mass Spectrometry）」、１９９６年、第１０巻、ｐ．８８９−８９６
【非特許文献３】ホーグルンド‐ハイザー（Hoaglund‐Hyzer）、「分析化学（Analytical Chemistry）」、２０００年、７２巻、ｐ．２７３７−２７４０
【非特許文献４】マーチ他（March et al.）著、「四重極ストレージ質量分析（Quadrupole Storage Mass Spectrometry）」、（英国）、ジョン・ワイリー（John Wiley）、１９８９年
【非特許文献５】マーシャル他（A．G．Marshall et al.）著、「光学及び質量分析（Optical and Mass Spectrometry）」、（オランダ）、エルゼビア（Elsevier）、１９９０年
【非特許文献６】ベロフ他（Belov et al.）、「分析化学（Analytical Chemistry）」、２００１年１月１５日、第７３巻、第２号、ｐ．２５３
【非特許文献７】ウィリアムズ他（Williams E．R．et al.）、「分析化学（Analytical Chemistry）」、１９９０年、第６２巻、ｐ．６９８−７０３
【非特許文献８】ロス他（Ross C．W．et al.）、「米国化学会誌（Journal of the American Chemical Society）」、１９９３年、第１１５巻、ｐ．７８５４
【非特許文献９】マカロフ（Makarov）、「静電型軸方向高調波軌道トラッピング：質量分析の高性能技術（Electrostatic Axially Harmonic Orbital Trapping：A High Performance Technique of Mass Analysis）」、分析化学（Journal of Analytical Chemistry）、２０００年、第７２巻、ｐ．１１５６−１１６２
【発明の開示】
【課題を解決するための手段】
【００１７】
本発明は、イオントラップを用いる質量分析方法であって、ａ）試料から複数の前駆イオンを生成し、各イオンは、第１の質量電荷比の有限な範囲Ｍ1／Ｚ1、Ｍ2／Ｚ2、Ｍ3／Ｚ3．．．ＭN／ＺNから選択された１つの質量電荷比を有し、ｂ）前記複数の前駆イオンのうち少なくともいくつかの前駆イオンの解離を引き起こすことによって、複数のフラグメントイオンを生成し、各フラグメントイオンは、第２の質量電荷比の有限な範囲ｍ1／ｚ1、ｍ2／ｚ2、ｍ3／ｚ3．．．ｍn／ｚnから選択された１つの質量電荷比を有し、ｃ）前記フラグメントイオンをイオントラップ内へ導き、前記イオントラップは電磁場を生成する手段を有し、前記電磁場は、前記電磁場の少なくとも１つの方向でイオンを閉じ込めることができ、前記イオンは、前記前駆イオンの前記質量電荷比に従って、1回に複数のイオン群として前記トラップに入り、ｄ）少なくとも１つの前記イオン群において、イオンの前記質量電荷比を、前記トラップ内の前記電磁場における、その、又はそれらの群中の前記イオンの運動パラメータに基づいて、決定し、ｅ）前記トラップ内の前記電磁場を変形させることによって、前記トラップ内のフラグメントイオンであって、等しい前記質量電荷比を有するが、異なる前駆イオンから生じたフラグメントイオン、を、区別して検出することを可能にする方法を実現する。
【００１８】
トラップは静電型トラップであることが好ましい。有利なことに、本方法は、電場を変形させた場合、等しい質量電荷比ｍ／ｚを有する、２つ以上のフラグメントイオン群であって、各群が、異なるＭ1／Ｚ1、Ｍ2／Ｚ2等を有する、異なる前駆イオン群から生じたフラグメントイオン群を、区別することができる。電場の変形は、あるイオン群の（軸方向の）振動周波数を、他のイオン群に対して、変化させる。従って、２個のイオン群が、以前は互いに区別不可能であったが、お互いに対して軸方向周波数が変化することで、区別可能になる。電場の変形の位置は、（例えば、ＭＡＬＤＩ（マトリックス支援レーザーイオン化）イオン源が用いられる場合は、）イオン形成の位置、又は、例えば、無線周波数（ＲＦ）トラッピング装置内の中間貯蔵庫からイオンが放出される位置である。
【００１９】
異なる前駆イオンから生じた、各イオン群を「ラベル付け」することが可能である。なぜなら、すべてのパラメータ（例えば、静電トラップ内での各群の運動の振幅、又は、各群のイオンエネルギー、又は、静電トラップ内の各群の振幅の初期位相）は、静電トラップ内で、Ｔに依存しており（Ｔは、イオンの放出された位置から静電トラップの入口までのＴＯＦである）、更に、このＴは、前駆イオン、及び／又は、フラグメントイオンの質量電荷比に依存するからである。
【００２０】
本方法は、例えば、イメージ電流検出法によって静電場において検出が行われる場合、多くの前駆イオンの各々について、ある１つのスペクトルによって、全スペクトルを得ることができるという利点をさらに有する。
【００２１】
各フラグメントイオン群の、運動振幅及びエネルギーの差の判断は、静電トラップ内の電場を変形することで達成される。この方法では、トラップ内の各フラグメントイオン（等しい質量電荷比ｍ1／ｚ1を有する）の飛翔経路の軸方向周波数は、イオンのパラメータから独立したものではなくなる。
【００２２】
電極に電圧を印加することで、局地的に電場を変形させることが好ましい。変形に比較的近いフラグメントイオンの軸方向の振動周波数が、変形から比較的離れた、他のフラグメントイオンの軸方向の振動周波数と異なるように、電場の変形を決めることができる。従って、等しい質量電荷比ｍ1／ｚ1を有するが、異なる質量電荷比Ｍ1／Ｚ1、及びＭ2／Ｚ2を有する異なる前駆イオンから生じたフラグメントイオンを互いに区別することができる。その結果、全質量ＭＳ／ＭＳの方法が達成される。
【００２３】
本発明の実施形態では、ＬＣピーク・パーキング技術と比較して、分析速度を、少なくとも５倍から１０倍、改善することができる。
【００２４】
本発明はまた、質量分析計であって、複数の、分析対象の試料イオンを供給するよう構成されたイオン源と、前記試料イオンを解離場所へ向けて誘導する手段であって、前記試料イオンが、Ｍ1／Ｚ1、Ｍ2／Ｚ2、Ｍ3／Ｚ3．．．ＭN／ＺNの範囲から選択された質量電荷比に従って、複数の前駆イオン群として、前記解離場所に到達する手段と、トラップの入口を有するイオントラップであって、前記イオントラップが、前記解離場所における前記前駆イオンの解離によって生じたフラグメントイオン群を受け取るように配置され、各フラグメントイオン群が、ｍ1／ｚ1、ｍ2／ｚ2、ｍ3／ｚ3．．．ｍn／ｚnの範囲から選択された質量電荷比を有し、前記イオントラップが、前記イオントラップ内にトラッピング場を生成するように構成されたトラップ電極を有し、これにより、前記トラップに入る、断片化されなかった前駆イオン、及び／又は、フラグメントイオンは、前記トラップの少なくとも１つの軸方向で前記トラッピング場に閉じ込められ、前記イオンの前記質量電荷比のみに関係する運動パラメータを有するイオントラップと、前記運動パラメータに基づいてイオン群の前記質量電荷比を判断することを可能にする検出手段と、電場を変形する、少なくとも１個の電極であって、前記トラッピング場の変形を実現するように配置されることによって、前記イオントラップ内の、分離したフラグメントイオン群であって、前記等しい質量電荷比ｍ1／ｚ1を有するが、少なくとも２つの異なる質量電荷比Ｍ1／Ｚ1、Ｍ2／Ｚ2を有する前駆イオンから生じたフラグメントイオン群を前記検出手段が検出することを可能にする電極と、を備える質量分析計を提供する。
【発明を実施するための最良の形態】
【００２５】
以下に、図面を用いて、一例として本発明を説明する。
【００２６】
フーリエ変換質量分析計が、１回の走査で複数の前駆イオンからＭＳ／ＭＳスペクトルを得、少なくともＬＣに匹敵する、又はより高い水準のスペクトルを得る時間負荷を大いに減少させる潜在能力を有することがわかった。
【００２７】
特許文献５、国際公開第９６／３０９３０号パンフレット、及び、マカロフの論文（非特許文献９）に開示された静電トラップに基づいた静電トラップに関して、本発明を説明する。前記３文献を、ここに本明細書の一部として引用する。本明細書の記載全体を通して、このトラップは、「オービトラップ（orbitrap）」という記述で言及する。当然、他の静電トラップ構成が利用可能であり、本発明は、ここ及び引用した文献で開示する特定の実施形態に制限されない。他の静電トラップは、平面、環状、楕円状、又は他の断面の多重反射鏡の構成を有することもある。言い換えると、本発明は、高い真空状態を維持し、多重反射と、少なくとも一方向の等時性のイオン運動と、を実現する、どのような電極構造にも応用できる。本明細書では、オービトラップの詳細を説明する必要はなく、本段落において、引用された文献を参照する。本発明は、原則として、従来のＦＴＩＣＲに適用することもできる。ただし、その場合は、高度なイオン噴射、及び励起の技術が要求される。例えば、いくつかのＦＴＩＣＲセルの電極、特に、検出電極に、制御された場の摂動を実現するように電圧を印加することができる。
【００２８】
正確な検出を実現するため、オービトラップは、イオン信号のスミア（smear）を防ぐために十分なコヒーレンスをもって、イオンがトラップに噴射されることを要求するのが好ましい。従って、特定の質量電荷比のイオン群が、束として緊密に集まって、静電トラップの入口に、又は入口に隣接したところに、到達することを保証する必要がある。そのような束、又はパケットは、静電トラップに理想的に適合されている。なぜなら、各イオンパケットのＴＯＦ分布の半波高全幅値（full width half maximum、ＦＷＨＭ）（特定の質量電荷比に対するもの）は、静電トラップ内では、その質量電荷比を有する試料イオンの振幅周期よりも小さいからである。放出ポテンシャルに対する特定の制限について記載した、米国特許第５，８８６，３４６号明細書、及び特許文献５を参照する。前記２文献を、ここに本明細書の一部として引用する。代わりに、パルス型のイオン源（例えば、短レーザパルスを用いる）を、同様の効力で使用できる。
【００２９】
図１に、質量分析計１０を示す。質量分析計は、電子衝撃イオン源、（衝突ＲＦ多重極を有する、又は有しない）エレクトロスプレーイオン源、マトリックス支援レーザー脱離イオン化（matrix assisted laser desorption and ionization、ＭＡＬＤＩ）イオン源（これも、衝突ＲＦ多重極を有する、又は有しない）、などの連続又はパルス型イオン源１２を備える。図１には、エレクトロスプレーイオン源１２を示す。
【００３０】
イオン源１２から噴射されたイオンは、入口円錐体１４及び出口円錐体１８を有するイオン源ブロック１６に入る。国際公開第９８／４９７１０号パンフレットに記載されているように、出口円錐体１８は、イオンブロック１６内のイオン流に対して９０°の入口を有し、これによって、次の質量分析要素にイオンが流れ込むのを防ぐスキマ（skimmer）として機能する。
【００３１】
出口円錐体１８の下流の第１の要素は、衝突多重極（又は、イオン冷却器）２０であり、イオン源１２からの試料イオンのエネルギーを減少させる。冷却されたイオンは、衝突多重極２０から、開口部２２を通って出て、任意のＲＦ信号と重ねられた直流電圧を供給された四重極質量フィルタ２４に到達する。この質量フィルタは、着目する質量電荷比のウィンドウの範囲内のイオンのみを取り出し、選択されたイオンは、その後、線形トラップ３０に向かって放たれる。図１に示す実施形態においては、イオントラップ３０は、入口部分４０と、出口部分５０と、に区分けされている。図１には２つの部分だけを示すが、３つ以上の部分を利用してもよい。
【００３２】
当業者によく知られるとおり、データ依存の励起、断片化、又は選択された質量電荷比の除去を実現するために、線形トラップ３０は、共振、又は、質量選択不安定走査のための機能を含むこともできる。
【００３３】
イオンはトラップ３０から噴出される。ここで定義された条件に従って、これらのイオンは、（以下の記述からわかるように）前駆イオンであり、ＭA／ＺA、ＭB／ＺB、ＭC／ＺC．．．ＭN／ＺNの範囲から選択された１つの質量電荷比を有する。ここで、ＭNは前駆イオンのＭ／Ｚ比の範囲でＮ番目の質量であり、ＺNはＮ番目の電荷である。
【００３４】
出口電極の下流には、偏向器１００及び１１０を有する偏向レンズ構成９０が設置される。偏向レンズ構成は、トラップ３０から出るイオンを偏向させ、線形トラップ３０の内部と、偏向レンズ構成９０の下流の静電オービトラップ１３０とを直接接続する経路が存在しないように構成される。従って、比較的高圧の線形トラップから比較的低圧のオービトラップ１３０へ、気体分子が流れ込むことを防ぐ。偏向レンズ構成９０は、差動排気口としても機能する。偏向レンズ配置の下流には、伝導率制限器１２０が設置され、これにより、オービトラップ１３０とレンズ構成９０との間の圧力差を維持する。
【００３５】
伝導率制限器を通って偏向レンズから出たイオンは、転送レンズ構成９０からのイオンビームの光軸上のＳＩＤ表面１９２に到達する。ここで、イオンは表面１９２と衝突し、解離してフラグメントイオンとなる。フラグメントイオンは、一般的に、前駆イオンとは異なる質量電荷比を有する。前駆イオンに対して定義した前記の条件と一致して、生じたフラグメントイオンの質量電荷比は、ｍa／ｚa、ｍb／ｚb、ｍc／ｚc．．．ｍn／ｚnのうちの１個である。ここで、ｍn及びｚnはそれぞれ、フラグメントイオンのｍ／ｚ比の範囲でｎ番目の質量及び電荷である。
【００３６】
フラグメントイオン、及び、すべての残留前駆イオンは、表面で反射されてオービトラップの入口に到達する。オービトラップ１３０は、中心電極１４０を有する（図２を参照するとよりよくわかる）。中心電極は高電圧増幅器１５０に接続される。
【００３７】
オービトラップはまた、２つの外部電極部分１６０及び１７０に分離された外部電極を含むことが望ましい。２つの外部電極部分の各々は、差動増幅器１８０に接続される。この差動増幅器は、仮想接地された状態を維持することが望ましい。
【００３８】
再び図１を参照し、オービトラップの下流には、オービトラップ１３０の側に二次電子増倍管１９０が設置される。図１にはまた、ＳＩＤ表面の電圧供給源１９４が示されている。代替の実施形態においては、減速間隙を、（ＣＩＤ表面の前に設置される）格子と表面との間に設けることもできる。イオンは格子を通って間隙に入り、格子に印加されたオフセット電圧によって生じた減速力を受ける。このように、イオンと表面との間の衝突エネルギーを、制御して減少させることができる。
【００３９】
システム、特に、システムの様々な部分に供給される電圧は、本発明の一部を構成しないデータ収集システムによって制御される。同様に、システムの差動排気を可能にするために、真空包絡面（vacuum envelope）も設けられる。ここでも、図１には一般的な圧力は示すが、この真空包絡面は図示されていない。
【００４０】
イオンがイオン源１２から離れ、区分けされたトラップ３０に入り、トラップから解放され、レンズ構成９０によって偏向される、システムの操作は、英国特許第０１２６７６４０号明細書に記載されている。イオンを線形トラップから解放するまでの、システムの操作は、本発明の一部を構成しない。従って、本明細書では、装置のこの側面についての、これ以上の詳細な説明は必要ない。
【００４１】
図１に示す実施形態では、ＳＩＤ表面がトラップの後に、反射させるような配置で設けられ、このため、イオンは、偏向されてトラップの入口に入ることなく、オービトラップを通り過ぎる（この段階では、偏向電極２００、又は電極１４０に電圧は印加されていない）。イオンは、衝突表面１９２と相互作用し、解離してフラグメントイオンとなり、表面によって反射されてオービトラップへ戻る。この段階で、電極２００に電圧が印加され、イオンが偏向されてオービトラップに入る。
【００４２】
表面との衝突のエネルギー（及び、生じた断片に分散したエネルギー）は、ＳＩＤ表面に印加される減速電圧１９４によって調整できる。ＳＩＤ表面とトラップ１３０との間の距離は、イオンの光学上考慮すべき点と、要求質量範囲と、に留意して選択される。好適な実施形態においては、イオンは、イオントラップ３０を離れ、ＳＩＤ表面までの飛行時間（ＴＯＦ）にフォーカスされる。結果として、イオンは、質量電荷比に従って、個々の群として、ＳＩＤ表面に到達する。各群は、上記定義のとおり、質量電荷比ＭA／ＺA、ＭB／ＺB、．．．ＭN／ＺNを有するイオンを含む。ＳＩＤ表面からオービトラップの入口までは、前駆イオン、又はフラグメントイオンのＴＯＦフォーカスは存在しない。ＳＩＤは、実践的な範囲でできるだけオービトラップの入口近くに設置され、これにより、イオンの拡散又はスミアを最小限にする。ＳＩＤの位置とオービトラップの入口との間の距離Ｌは、５０ｍｍ−１００ｍｍの間であることが望ましい。結果として、ＳＩＤ表面からオービトラップの入口への、イオンの集団の追加の広がりｄＬは無視できるほど小さくなり、一般的に０．５ｍｍから１ｍｍより小さい（ＳＩＤから離れるフラグメントイオンのエネルギー分布は１０ｅＶ−２０ｅＶであり、加速電圧は１ｋｅＶのオーダーであるため）。当然、この配置は、単に好適な実施形態であり、当技術分野で知られている、他の形式の解離を利用してもよいことがわかる。解離場所とオービトラップの入口との間の距離を短く保つことで、スミアを減少させる原理は、解離の形式に関わらず、変化しない。
【００４３】
当業者は、インパルスレーザを用いた、光誘起解離（photo‐induced dissociation、ＰＩＤ）を利用できることを理解するだろう。ＰＩＤは、前駆イオンを解離するために、比較的高いピーク電力のパルスレーザを用いる。前駆イオンがより低い運動エネルギーを有する範囲で解離を行うことで、フラグメントイオンが、トラップのエネルギー受容範囲内のエネルギーを有するようにすることが好ましい。さらに、衝突誘起解離（collision induced dissociation、ＣＩＤ）を、前駆イオンのより低い運動エネルギー範囲内で、好ましくは、比較的短く、高圧の衝突室において、行うことが可能である。衝突室は、線形トラップ３０からの、すべての飛行時間分布が大きく広がることを防止するように配置しなければならない。従って、ＣＩＤセル内のイオンの飛行時間は、線形トラップからセルまでのイオンのＴＯＦと、セルからオービトラップの入口へのイオンのＴＯＦと、の両方と比較して、短いことが好ましく、非常に短いことがより好ましい。現時点では、ＣＩＤによる解離は、本質的に、静電トラップの高真空状態の制限が厳しいため、最も望ましくない手法であると思われる。
【００４４】
好適な実施形態での動作において、前駆イオン（又は、「親イオン」）のパルスが線形イオントラップ３０から解放される。イオンは、貯蔵四重極、又は試料プレートから、解離場所（dissociation site）までの遷移の際の飛行時間に従って、別個の群に分離する。ＴＯＦによる分離は、更には、前に定義した質量電荷比ＭN／ＺNの値ｎに関連付けられる。
【００４５】
（この時点で、実質上等しい質量電荷比Ｍ／Ｚを有するイオンからなる）各イオン群、又は集団は、解離場所と衝突する。ここで、一部の前駆イオンは、前駆イオンのエネルギーよりも低いエネルギー（数ｅＶのオーダ）を有するフラグメントイオンへと断片化される。ＳＩＤを用いた断片化は、本質的に、瞬間的な過程である。従って、フラグメントイオンは解離場所から、群、又は集団として放出される。これらの断片化されたイオン群は、その質量電荷比ｍn／ｚnに従って、解離場所からオービトラップの入口への異なるＴＯＦを有する。ＭN／ＺNの前駆イオンの群は、様々な質量電荷比ｍa／ｚa、ｍb／ｚb．．．ｍn／ｚnを有するフラグメントイオンを生成する可能性がある。質量電荷比ＭA／ＺA、ＭB／ＺB、ＭC／ＺC．．．ＭN／ＺNを有する、断片化されないイオンの一部が残る可能性もある。従って、フラグメントイオン、及び残った前駆イオンのすべてが、軸から離れて、質量電荷比に従った、コヒーレントな群として、オービトラップの増加する電場に噴射される。従って、前駆イオン及びフラグメントイオンのコヒーレントな集団がオービトラップにおいて形成され、各集団は等しい質量電荷比を有するイオンｍa／ｚa、ｍb／ｚb、ｍc／ｚc．．．ｍn／ｚn；ＭA／ＺA、ＭB／ＺB、ＭC／ＺC．．．ＭN／ＺNを含む。
【００４６】
イオン噴射の間、オービトラップの中心電極１４０に印加された電圧１５０を傾斜させる。マカロフの論文（非特許文献９）で説明されているように、この傾斜する電圧は、イオンを「圧迫」して中心電極により近づけるために利用され、閉じ込められるイオンの質量範囲を増大させることができる。この電場増大の時定数は、一般的には、２０マイクロ秒から１００マイクロ秒であるが、閉じ込められるイオンの質量範囲に依存する。
【００４７】
正常な動作の間は、オービトラップの（理想的な）電場は、中心電極及び外部電極の形状により、超対数（hyperlogarithmic）である。そのような場は、縦軸方向に沿って、ポテンシャルの井戸（potential well）を生成し、よって、逃れる程イオンの入射エネルギーが大きくなければ、そのポテンシャルの井戸にイオンを閉じ込める。中心電極１４０に印加された電圧が増大するに従って、電場の強度が増大し、その結果、イオンに働く縦軸方向の力が増大し、よって、イオンの螺旋半径が減少する。結果として、イオンは、ポテンシャルの井戸の側面の勾配が増加するに従って、より小さい半径の螺旋上を回転することを強いられる。
【００４８】
先行技術で説明されているように、超対数場における振動は、３つの特性周波数を有する。第１は、イオンの軸方向の調和運動であり、イオンはイオンエネルギーとは独立した周波数でポテンシャル井戸内において振動する。第２の特性周波数は、すべての飛翔経路が円状であるわけではないので、径方向の振動である。閉じ込められたイオンの第３の周波数特性は、角回転の周波数である。イオン集団がオービトラップの電場に入る時刻Ｔは、集団内のイオンの質量電荷比（すなわち、一般的に、ｍn／ｚn、又はＭN／ＺN）の関数であり、下記の式（１）で定義される。
【数１】
0004824545.tif 000002
ここで、ｔ0は、イオンの形成、又はトラップからの解放の時刻であり、ＴＯＦ1（ＭN／ＺN）は、質量電荷比ＭN／ＺNの前駆イオンの、イオンの解放又は形成の位置から、衝突表面までの飛行時間であり、ＴＯＦ2（ＭN／ＺN）は、質量電荷比ＭN／ＺN（すなわち、衝突表面に入射し、しかし解離できなかったイオンと等しい質量電荷比）の前駆イオンの、衝突表面からオービトラップの入口までの飛行時間であり、ｍn／ｚnは、衝突によって、質量電荷比ＭN／ＺNの前駆イオンから生成されたフラグメントイオンの質量電荷比である。式（１）では、特定の質量電荷比ＭN／ＺNを有する前駆イオンを、質量電荷比ｍn／ｚnを有するフラグメントイオンの１つの集団に関連付けることがわかる。ここで、同様の式を用いて、例えば、ＭN／ＺNを有する同一の前駆イオン集団からの質量電荷比ｍa／ｚaを有するフラグメントイオンの時刻Ｔ´を、単純に式（１）のｍn／ｚnにｍa／ｚaを代入することで、導出することもできる。イオンは、ＭＡＬＤＩ、高速原子衝撃（fast atom bombardment、FAB）、二次イオン衝突（secondary ion bombardment、SIMS）又は他のパルス型のイオン化手法を用いて固体又は液体表面から生成することもできる。これらの場合、ｔ0はイオン形成の時刻である。エネルギー放出、エネルギーの広がり、及びその他の定数若しくは変数の効果は、明確性のため、式（１）には含まない。
【００４９】
四重極トラップからの飛行時間に従って、イオンを群へと分離することによる、イオンの質量電荷比に依存するパラメータがある。これらのパラメータは、オービトラップ内における検出の間の運動の振幅（例えば、放射状、又は軸方向の振幅）や、検出の際のイオンエネルギーや、イオン振動の初期位相（Ｔに依存する）などを含む。これらのパラメータはいずれも、前駆イオン、又はフラグメントイオンを「ラベル付け」するのに利用できる。
【００５０】
フラグメントイオンは、ＴＯＦ効果が、断片化されたイオンの集団のコヒーレンスを、検出に影響しかねない程度（例えば、エネルギーの広がりが原因で生じたスミアによって）まで崩壊させることのないような時間で形成されることが好ましい。フラグメントイオンのパラメータは、前駆イオンのパラメータと異なる可能性がある。しかしながら、フラグメントイオンは、その前駆イオンのパラメータと明白に関連付けることができる。これは、次のような方法で達成される。
【００５１】
好適な実施形態においては、イオンのトラップ内における軸方向の振動周波数の検出は、ｔ0の後の、予め決定された時刻Ｔdetに始まる。Ｔdetは、一般的に、ｔ0の数十ミリ秒（例えば、６０ｍｓ又は、それ以上）後であり、貯蔵トラップからのイオンのＴＯＦは、一般的に、（例えば）３マイクロ秒から２０マイクロ秒である。質量電荷比ｍn／ｚnを有するフラグメントイオンのイオン軸方向振動の周期Ｔaxial（ｍn／ｚn）は、数マイクロ秒のオーダーであり、当然、ＭN／ＺN、又はｍn／ｚnの値に依存する。従って、振動の位相Ｐ（ｍn／ｚn，ＭN／ＺN）は、下の式（２）によって決定できる。
【数２】
0004824545.tif 000003
ここで、Ｐは位相、ｃは定数、及びｆｒａｃｔｉｏｎ｛．．．｝は、その引数の小数部を返す関数である。
【００５２】
上記で引用した、マーシャルの非特許文献５によれば、検出された位相、Ｐdet（ω）は、吸着周波数スペクトルＡ（ω）及び分散周波数スペクトルＤ（ω）を検出することで導出でき、下の式（３）で示す。
【数３】
0004824545.tif 000004
そして、イオン運動の軸周波数ωと、オービトラップのｍn／ｚnとの間の関係を用いて、
【数４】
0004824545.tif 000005
ここで、ｋはオービトラップの電場から導出された定数である。イオン振動の周期Ｔaxial（ｍn／ｚn）は、軸周波数ωと以下のように関係付けられる。
【数５】
0004824545.tif 000006
従って、特定のフラグメントイオンの質量電荷比ｍn／ｚnに対して、事前のシステム較正から導出された定数を用い、質量電荷比ｍn／ｚnのフラグメントイオンを生成した前駆イオンの質量電荷比ＭN／ＺNを、式（１）、式（２）、式（３）、及び式（４）から導出できる。言い換えると、Ｐ（ｍn／ｚn，ＭN／ＺN）は、計測した位相及びｍn／ｚn（式（３）及び式（４）を用いる）から推定され、これらの値から、式（２）を用いてＴ（ｍn／ｚn，ＭN／ＺN）を推定できる。結果として、式（１）からＭN／ＺNを推定できる。従って、フラグメントイオンを生成した前駆イオンの質量電荷比ＭN／ＺNは、明白に確かめることができる。なぜなら、フラグメントイオンの軸方向の振動は、オービトラップ内における前駆イオンの振動の位相と関連付けられるからである。しかしながら、この記載は、特定のフラグメントイオンのｍn／ｚnは、前駆イオンの単一の質量電荷比ＭN／ＺNからのみ生じることを前提とし、例えば、ＭA／ＺA、又は前駆イオンの他の質量電荷比からは生じないことを前提とする。
【００５３】
オービトラップ内における前駆イオン及びフラグメントイオンの振動の初期位相は、Ｔに依存し、Ｔは、例えば、フラグメントイオンの軸方向振動周波数のフーリエ変換の実数部及び虚数部から推定できる。代わりに、電子増倍管１９０によって得られたＴＯＦスペクトルを用いて、直接、Ｔを測定することもできる。その後、質量電荷比ｍn／ｚnを、オービトラップに対する適切な較正曲線を用いて推定することができる。この方法で、全質量ＭＳ／ＭＳ質量分析を達成できる。
【００５４】
しかしながら、異なるＭ／Ｚ（例えば、ＭA／ＺA、及びＭN／ＺN）を有する、２つ（又はそれ以上）の前駆イオン群が、等しいｍ／ｚ（例えば、ｍn／ｚn）を有する、複数のフラグメントイオン群を生成する場合は、状況はより複雑になり得る。少なくとも、等しい質量電荷比ｍn／ｚnのフラグメントイオン（しかし、異なる質量電荷比ＭA／ＺA、ＭB／ＺB．．．ＭN／ＺNを有する、異なる前駆イオンから生成された）が、オービトラップに異なる瞬間に到達する場合は、その軸方向振動周波数は等しく、このため、そうでなければ互いに区別できない。これは、イオンの軸方向振動周波数が、イオンエネルギーと、イオン振動の初期位相と、から独立であるためである（すなわち、軸方向振動周波数は、質量電荷比のみに依存する）。
【００５５】
この状況は、次のように例証できる。それぞれがある質量電荷比（例えば、ＭA／ＺA、及びＭB／ＺB）を有する２つの前駆イオン群が、実質上同時にイオン源から放出されたとする。ここで、ＭA／ＺAは、ＭB／ＺBより小さいとする（質量ＭAは質量ＭBより軽い）。正常どおり、より低い質量電荷比のイオンが、より重いものよりも速く動き、次式に従う。
【数６】
0004824545.tif 000007
結果として、質量電荷比ＭA／ＺAのイオンは、質量電荷比ＭB／ＺBのイオンよりも早く、ＳＩＤ表面に到達する。ここで、質量電荷比ＭA／ＺAのイオンは即座に断片化し、よって、質量電荷比ｍn／ｚnのフラグメントイオンが生成される（当然、他のイオンと共に）。考慮中の特定のイオン、つまり、質量電荷比ｍn／ｚnのイオンは、オービトラップの入口に向かって動き始める。例えば、ｍn／ｚn＜ＭA／ＺAの場合（常に成り立つわけではない。例えば、ｍn＜ＭAであるがｚn＜＜ＺAである場合）、フラグメントイオンｍn／ｚnは、ＳＩＤで断片化しなかった、ＭA／ＺAの前駆イオンのすべてを追い越す。従って、上記の式（６）によると、質量電荷比ｍn／ｚnのフラグメントイオンは、断片化されなかった前駆イオンよりも前に、オービトラップの入口に到達する。入口への到達の時間差は、式（１）によって決定される。質量電荷比ＭA／ＺAのイオン群がＳＩＤとオービトラップの入口との間を移動中に、質量電荷比ＭB／ＺBのイオン群がＳＩＤに到達することが可能である。ここで、これらのイオンも断片化し、質量電荷比ｍn／ｚnの第２のイオン群を（他のイオン群の間に）形成し、第２のイオン群はオービトラップの入口に向かって動く。前述のように、質量電荷比ｍn／ｚnを有するイオン群のイオンは、オービトラップへ向かう途中で、質量電荷比ＭB／ＺBを有するイオン群のイオンを「追い越す」可能性が高い（ｍn／ｚnを仮定する）。第２のフラグメントイオン群ｍn／ｚnは、等しいｍn／ｚnを有するが、質量電荷比ＭA／ＺAの前駆イオンから生じた、第１のフラグメントイオン群の後に、オービトラップの入口に到達する。結果として、最初にオービトラップの入口に到達した、質量電荷比ＭA／ＺAの前駆イオンから生じたフラグメントイオン群（質量電荷比ｍn／ｚnを有する）は、等しい質量電荷比ｍn／ｚnを有するが、質量電荷比ＭB／ＺBを有する他の前駆イオンから生じた、後のフラグメントイオン群とは、異なる位相を有する。（ほとんど起きる可能性のない、極端な場合、２つのフラグメントイオン群の位相が互いに打ち消しあい、結果として信号が全く検出されないこともあり得る。）
【００５６】
オービトラップ内の電場が理想的である場合（すなわち、完全に超対数）、両方の群は、どの前駆イオンから生じたかに関係なく、等しいｍn／ｚnに対して、単一のスペクトルを示す。これは、（すでに説明したように）理想的な超対数場においては、検出される運動の軸方向の周波数は、（各フラグメントイオン群について等しい）ｍn／ｚnのみに依存し、そのような２つの群の間の相対的な位相差、又はエネルギー差の影響を全く受けないからである。これは、検出されたフラグメントイオン（質量電荷比ｍn／ｚnを有する）が、複数の異なる前駆イオン中の１つ又は他のイオンから生じたことを判断するのが難しいため、望ましくない。従って、この信号を解読する必要がある。
【００５７】
この、信号の解読は、イオンがトラップに入る前に電圧１５０の傾斜を開始し、着目するイオンがすべてトラップに入った後に、傾斜を終了することで達成できる。結果として、第１のフラグメントイオン群は、第２のフラグメントイオン群より早い時点でトラップに入り、たとえ等しいｍn／ｚnであっても、第２群よりも多く、傾斜した電圧を受ける。従って、第１のイオン群は、第２群よりも「圧迫」されて中心電極により近づく。結果として、振動の振幅は、従って、第２群の方が第１群よりも大きくなる。第１、及び第２のフラグメントイオン群は、従って、中心電極の周りに、明確に異なる軌道半径を有する。
【００５８】
しかしながら、軸方向振動周波数がオービトラップの質量分析に用いられ、軸方向周波数はイオンエネルギー、又は半径（又は、イオンがオービトラップに入る時の線速度）に依存しないため、第１、及び第２のフラグメントイオン群は等しい軸方向周波数を有する。結果として、理想的な電場を用いた従来の質量分析においてもまだ、フラグメントイオンは互いに区別されない。従って、較正曲線を用いて前駆イオンの質量電荷比ＭN／ＺN（式（２）による）を決定すると、特定のフラグメントイオンを誤った前駆イオンに割り当てる可能性がある。
【００５９】
本発明の１つの態様は、フラグメントイオンを、その正しい前駆イオンに割り当てる方法を実現する。これは、オービトラップ内におけるイオンの、運動及びエネルギーの振幅差を評価することによって達成される。これは、（上記のように、オービトラップ内の軸方向振動周波数は、通常これらのパラメータから独立であるにもかかわらず）ある群の振動周波数を、他の群に対して変えることで実現できる。この、「周波数偏移」は、オービトラップ内の理想的な電場を、適切な方法で変形することで導入できる。変形は局所的であることが好ましく、例えば、外部の検出電極の間又は近くに設置される電極（通常、接地される）に、電圧を印加することで局所的にする。
【００６０】
電場が超対数場から離れて変形する程度まで電極を充電することが好ましく、これにより、イオンを閉じ込めたままにし、イオンの運動の振幅が、効果的な検出を妨げない割合で減衰させ、理想的な場を変形することで、異なるエネルギーを有するイオン、及び／又は、十分な周波数偏移が、等しいｍn／ｚnを有する２つ（又は、それ以上）のフラグメントイオン群の間に導入される。
【００６１】
好適な実施形態においては、数ｋｅＶのエネルギーを有する、閉じ込められたイオンのために、偏向電極２００に電圧が印加され、トラップ場に局所的な変形２０２が形成される。一般的に、電圧は２０ボルトから２５０ボルトであるが、オービトラップ内のイオンエネルギーに依存して、より低く、又はより高くても良い。結果として、比較的変形の近くにおいて振動するイオン（すなわち、後でオービトラップに入った、ｍn／ｚnのフラグメントイオン群であって、質量電荷比ＭB／ＺBの前駆イオンから生成され、より大きな軌道半径を有するフラグメントイオン群）の、検出された軸方向周波数が、等しいｍn／ｚnを有するが、変形からより離れて振動するフラグメントイオン群（すなわち、より早い時点でオービトラップに入った、質量電荷比ＭA／ＺAの前駆イオンから生成されたフラグメントイオン群）と異なる。
【００６２】
図３を参照し、オービトラップ１３０内における２つのイオンの軌道経路１２２及び１２４の概略図を示す。両方のイオンが等しい質量電荷比を有する。上記で説明した例において、図３の２つのイオンは、各群の質量電荷比がｍn／ｚnであるが、それぞれ質量電荷比ＭA／ＺAとＭB／ＺBとの前駆イオンから生成された、２つのフラグメントイオン群のイオンに相当する。再び、上記の例に従うと、より大きな軌道半径（振動振幅）１２４を有するイオンは、質量電荷比ＭB／ＺBの前駆イオンから生成され、一方、より小さい軌道１２２を通るイオンは、質量電荷比ＭA／ＺAの前駆イオンから生成されたイオンである。しかしながら、上記で説明したように、イオンに理想的な超対数場が印加された場合には、トラップの縦方向軸ｚに沿った、これらの（イオンの）振動周波数は等しくなる。
【００６３】
図３では、偏向電極２００に電圧を印加すると、その近傍の電場が変形する（符号２０２で示す）ことがわかる。当然、変形は、電極の近くにおいて最も激しく、電極からの距離が大きくなるに従って、減少する。よって、より高い軌道経路１２４上のイオンは、より低い軌道経路１２２上のイオンと比べ、変形した場を、より大きな程度で経験する。よって、より高い振動振幅の経路上のイオンの軸方向振動周波数（及び、位相）は、より低い振動振幅の経路上のイオンの振動周波数よりも、大きく影響を受ける（そして、偏移する）。従って、同一の質量電荷比ｍn／ｚnであるが、それぞれ異なる質量電荷比ＭA／ＺA及びＭB／ＺBの前駆イオンを有するイオンに対する、検出された質量スペクトルのピークは、分離された、分解可能なピークに分割される。さらに、各ピークに関連付けられたイオンの初期位相は分解可能である。
【００６４】
図４を参照し、静電トラップにおける電場の変形を導入するために用いられる電極に印加される電圧が、時間に関して示される。電圧は、低電圧ステージ３１０と、高電圧ステージ３２０との、２つの異なるステージを有する。ステージ１とステージ２との間の時刻Ｔstepにおけるステップ３３０が比較的急であるため、電場の摂動がほとんど瞬時に導入される。図４の電圧の尺度３４０は、任意の値のみを示す。各ステージで要求される可能性の高い時間は、ステージ１に関しては数百ミリ秒から二千ミリ秒のオーダーで、ステージ２に関しては数十ミリ秒から百ミリ秒のオーダーであることが好ましい。ステージ１とステージ２との間の遷移は、約１０マイクロ秒程度の範囲であることが好ましい。ステージ１の間に電極に印加される電圧は、オービトラップ内の電場が変形しないように選択される。従って、変形電圧が印加される電極が、オービトラップの正常に接地された電極の近くに設置されている場合、変形電極は、検出電極と等電位であると仮定して、ステージ１の初期電圧もまた接地電圧でなければならない。
【００６５】
図５を参照し、オービトラップ内における軌道上のイオン群（再び、上述の説明との整合性を取るため、これらは質量電荷比ｍn／ｚnのフラグメントイオンである）の振幅３７５が、時間に関して示される。イオンが理想的な電場に閉じ込められた時に、振幅が比較的ゆっくり減衰することがわかる。しかしながら、理想的な場がＴDの後に変形された時は、振幅は、非常に速い速度で減衰する。
【００６６】
図６を参照し、ステージ１（すなわち、オービトラップ内で場の摂動がない）の間に分析された質量スペクトルのグラフ４００を示す。４１０及び４２０の２つのピークを示し、各ピークは異なる強度、及び異なる質量電荷比を有する。上述の例、及び、そこで定義したラベル付けの条件を参照すると、これらの質量電荷比は、それぞれ質量電荷比ｍa／ｚa、及びｍb／ｚbを有するフラグメントイオンに対するものである。図７は、図６に示すスペクトルに対応する図であり、図６の２つのピークの位相を、質量電荷比に対して示す。点５１０は図６のピーク４１０に対応し、点５２０は図６のピーク４２０に対応する。
【００６７】
図６及び図７に示すスペクトルは、第１の収集ステージの間に取られるので、これらのスペクトル中のある点について、本当に単一のフラグメントイオン群を表すかどうか、又は、実際に２つ以上のフラグメントイオン群であって、同一の質量電荷比を有するが、異なる質量電荷比ＭA／ＺA、及びＭB／ＺBの、異なる前駆イオンから生成されたフラグメントイオン群（ステージ１では、電場が超対数であるため、分解できない）を表すかどうか、を推定することは不可能である。ここで定義した注釈を用いて表現すると、図６の単一ピーク４１０は、ｍa／ｚaにおける、質量電荷比ＭA／ＺAの単一の前駆イオンのみからの、その質量電荷比のフラグメントイオンとしてのピークである場合と、代わりに、すべての質量電荷比がｍa／ｚaであるが、２つ、又はそれ以上の、質量電荷比ＭA／ＺA、ＭB／ＺB、ＭC／ＺC．．．ＭN／ＺNの前駆イオンから生じたフラグメントイオンを表す、分解されていないピークである場合と、の可能性がある。
【００６８】
図８を参照すると、図６のスペクトルと類似したスペクトルが示される。しかしながら、図８のスペクトル６００は、ステージ２で、すなわち、電極に電圧を印加して静電トラップ１３０内の電場を変形した時に、取られたスペクトルである。ピーク６０１からピーク６０４の群は、ステージ１で取られたスペクトルのピーク４１０に対応する。同様に、ピーク６１１からピーク６１４からなる群は、ステージ１で取られたスペクトルのピーク４２０に対応する。従って、ステージ１（静電トラップ内の電場が均一であるとき）で取られたスペクトルの各ピークは、実際には、単一の質量電荷比（ピーク４１０の場合はｍa／ｚa、及びピーク４２０の場合はｍb／ｚb）であって、各場合において１つではなく４つの前駆イオン群（例えば、ピーク４１０については、ＭA／ＺA、ＭB／ＺB、ＭC／ＺC、及びＭD／ＺDであり、おそらく、ピーク４２０については、ＭE／ＺE、ＭF／ＺF、ＭG／ＺG、及びＭH／ＺHである）から生じた質量電荷比、のピークが分解されなかった結果であることが明らかになるのがわかる。
【００６９】
図９は、図８に示すスペクトルと対応するが、図８における各ピークの位相を示す。点７０１から点７０４と、点７１１から点７１４と、は、それぞれ、ピーク６０１からピーク６０４と、ピーク６１１からピーク６１４と、に対応する。従って、図８及び図９は、それぞれ図６及び図７と比較すると、オービトラップにおける不均一な電場が、スペクトル線を「分割」して、単一の質量電荷比のフラグメントイオンを生じた、異なる前駆イオンの質量電荷比を明らかにするために、どのように用いられるかを示す。
【００７０】
図５に示すように、トラップの不均一な電場による、より速い信号の減衰、及びその結果の低い分解能が期待される。本方法においては、質量電荷比が互いに数パーセント以内である、フラグメントイオン又は前駆イオンの分離を可能にすべきである。個々のスペクトルのピークを分解することができない場合は、このピークに関連付けられている、対応するフラグメントイオン又は前駆イオンは、同定不可能として標識をつけることができる。
【００７１】
図４に示すように、２つのステージでデータを収集することが好ましい。ステージ１においては、静電場を理想的な状態（又は、可能な限り、この理想に近い状態）に維持することで、可能な最も高い分解能、及び質量精度が、質量分析計から得られる。ステージ１の間は、質量が高い精度で計測され、すべての可能な等圧の干渉も計測される。
【００７２】
システムは次に、第２のステージに切り替わり、第２のステージでは、オービトラップの電極のうちの１つの近くの電極に電圧を印加することによって、電場が摂動する。この摂動は、スペクトルのピークを分割し、従って、フラグメント（イオン）の割り当てを容易にする。第２のステージは、第１のステージと比べて、かなり短いことが好ましい。ステージ１及びステージ２の両方が、単一のスペクトル収集で行われることが好ましい。
【００７３】
上記の実施形態は、静電トラップ質量分析を参照して説明される。しかしながら、本方法は、他の形式のイオン質量分析に適用することもできる。
【００７４】
上記で説明した装置及び方法の変形は、当業者によって予見されることもあり得る。例えば、電場の変形専用の電極を設けることが好ましい場合が考えられる。これは、オービトラップの赤道方向の軸上、又は軸外に設置することができる。電場の変形のための電極は、オービトラップの様々な位置に設置することができ、図１０から図１３に、そのいくつかの例を示す。
【００７５】
図１０を参照すると、変形電極５００は、中心電極１４０のどちらかの端部に、環状のリング電極として配置される。図１１を参照すると、変形電極５００は、外部電極１６０の中心の周囲に、放射状のリングとして設置される。図１２を参照すると、外部電極１６０が、２つの内部電極及び２つの外部電極を備える、４つの部分に分割される。スペクトル収集のステージ１の間は、外部電極のすべての要素は、等しい電圧で動作するように構成され、これにより、理想的な電場を生成する。しかしながら、ステージ２の間は、最も外側の２つの電極５１０に異なる電圧が印加され、理想的な場を変形する。電場を変形する電極５１０は、理想的な場におけるイオンの軸方向振動が、ほぼ変形電極の内側の端の範囲内に入るように、構成しなければならない。当然、変形電極は、内部電極に適用することもできる。図１３を参照すると、変形電極５２０は、中心電極上に設置される。この例においては、変形電極は中心位置に示される。しかし、中心電極上の都合のよい位置のどこに配置してもよい。
【００７６】
上記で記載した静電変形以外の、静電場を変形する他の方法は、当業者にとって明らかである。例えば、電極にＲＦ電圧を印加することによる、イオンの共鳴励起は、周波数の、イオンのパラメータへの依存を実現するために用いることができるだろう。
【００７７】
また、前述の記載は、ＴＯＦイオン分離を参照する。しかしながら、本発明は、この方法のみに限定されず、例えば、線形トラップからの噴出などの、他のイオン分離法を同様に適切に利用してもよい。例えば、本発明の他の実施形態は、解離場所へ向けての、連続した前駆イオン噴出（単調に増加又は減少する質量電荷比を有することもある）を含むことが可能である。従って、上記の式（１）のＴＯＦ1の項は、走査に依存する関数に置き換えられる。実際には、そのような走査は、分析線形トラップの異なる構成、例えば、特許文献２や国際公開第００／７３７５０号パンフレットなどに記載されるような構成によって実現され得る。
【図面の簡単な説明】
【００７８】
【図１】本発明で用いられる装置の概略図である。
【図２】図１に示す静電トラップの詳細を示す概略図である。
【図３】等しいｍ／ｚを有するが、異なるエネルギーを有する、２つのイオンの軌道経路を示す概略図である。
【図４】電極に印加される電圧の経時変化を示す概略図である。
【図５】オービトラップ内で検出された中間体イオンの包絡線を示す概略図である。
【図６】本発明の実施形態における、ＴD前に得られた質量スペクトルを示す概略図である。
【図７】図６の質量スペクトルに関する質量スペクトルであって、検出された各ピークの位相が示された概略図である。
【図８】本発明の実施形態における、ＴD後に得られた質量スペクトルを示す概略図である。
【図９】図８の質量スペクトルであって、検出された各ピークの位相が示された概略図である。
【図１０】本発明の実施形態における、静電トラップの様々な代替配置の一例を示す概略図である。
【図１１】本発明の実施形態における、静電トラップの様々な代替配置の一例を示す概略図である。
【図１２】本発明の実施形態における、静電トラップの様々な代替配置の一例を示す概略図である。
【図１３】本発明の実施形態における、静電トラップの様々な代替配置の一例を示す概略図である。
【図１】
0004824545.tif 000008
【図２】
0004824545.tif 000009
【図３】
0004824545.tif 000010
【図４】
0004824545.tif 000011
【図５】
0004824545.tif 000012
【図６】
0004824545.tif 000013
【図７】
0004824545.tif 000014
【図８】
0004824545.tif 000015
【図９】
0004824545.tif 000016
【図１０】
0004824545.tif 000017
【図１１】
0004824545.tif 000018
【図１２】
0004824545.tif 000019
【図１３】
0004824545.tif 000020